(57)【要約】衛星ラジオ放送システムにおける移動商取引を実行するシステムおよび方法。ユニークプログラム識別子が放送番組の各プログラムセグメントと対応付けられている。リスナーが関心のあるプログラムセグメントを聞く場合、付随のプログラム識別子を獲得し、中央ロケーションまたはハブに転送させる。この転送操作はメディアリンクまたは無線ネットワークを介して手動で実施される。中央ハブでプログラム識別子を受信すると、プログラム識別子はリスナー情報を決定し、リスナーのプログラム識別子と関連するプログラムセグメントに関する追加情報を獲得し、および／またはリスナーおよび／またはマーチャンダイザおよび広告主を含む他のパーティに関係する電子取引を開始するために使用される。
2004533059.tif 000002
【特許請求の範囲】
【請求項１】
広告料金を請求する方法において、
（ａ）スポンサーの広告を放送で放送し、前記放送は前記広告と、前記広告の前記スポンサーと前記広告で広告される製品の少なくとも一つを独自に識別する識別子を含む工程と；
（ｂ）前記広告の視聴者からある数量の電子的指示を受信し、前記指示は製品への関心を示しかつ前記識別子を参照する工程と；
（ｃ）前記スポンサーに前記広告を放送する料金を請求し、前記料金は受信される前記指示の回数に基づいている工程と；
を含むことを特徴とする方法。
【請求項２】
前記識別子が前記広告が放送された時間およびチャンネルを識別することを特徴とする請求項１記載の方法。
【請求項３】
前記電子指示を受信する工程が前記製品についてのより多くの情報を要求する無線メッセージと前記製品の購入を要求する無線メッセージの１つを受信する工程を含むことを特徴とする請求項１記載の方法。
【請求項４】
前記電子指示を受信する工程が中央ハブで前記識別子のダウンロードを受信する工程を含むことを特徴とする請求項１記載の方法。
【請求項５】
前記放送する工程が少なくとも１つの衛星から放送する工程を含むことを特徴とする請求項１記載の方法。
【請求項６】
２つの放送広告の効果を評価する方法において、
（ａ）第１識別子を含む第１広告を放送する工程と；
（ｂ）前記第１広告の視聴者から第１数量の電子的指示を受信し、前記第１数量の電子指示は第１広告への関心を示し、かつ前記第１識別子を参照する工程と；
（ｃ）第２識別子を含む第２広告を放送する工程と；
（ｄ）前記第２広告の視聴者から第２数量の電子的指示を受信し、前記第２数量の電子指示は第２広告への関心を示し、かつ前記第２識別子を参照する工程と；
（ｅ）前記第１数量を前記第２数量と比較する工程と；
を含むことを特徴とする方法。
【請求項７】
前記第１広告と前記第２広告が同一であり、前記第１広告を放送する工程が前記第２広告を放送する工程と異なる時間に生じることを特徴とする請求項６記載の方法。
【請求項８】
前記第１広告と前記第２広告が同一であり、前記第１広告を放送する工程が前記第２広告を放送する工程と異なるチャンネルに生じることを特徴とする請求項６記載の方法。
【請求項９】
前記第１広告と前記第２広告が異なり、前記第１広告は日の特定の時間およびあるチャンネルで放送され、前記第２広告が日の特有の時間および前記あるチャンネルで放送されることを特徴とする請求項６記載の方法。
【請求項１０】
第１広告を放送する工程と第２広告を放送する工程が少なくとも１つの衛星から放送されることを含むことを特徴とする請求項６記載の方法。
【請求項１１】
（ａ）スポンサーの広告を放送する工程と；
（ｂ）前記広告と共にユニークプログラム識別子を放送する工程と；
（ｃ）前記広告に関心を示すユーザに応答してメモリ装置内に前記ユニークプログラム識別子を記録する工程と；
（ｄ）前記メモリ装置から中央ハブに前記ユニークプログラム識別子をダウンロードする工程と；
（ｅ）ダウンロードされる各ユニークプログラム識別子に対して前記スポンサーに請求する工程と；
を含むことを特徴とする広告料金を請求する方法。
【請求項１２】
前記工程（ｄ）が無線および一時有線接続の１つを介して組み込まれたメモリ装置から携帯装置に前記ユニークプログラム識別子をダウンロードする工程と、ダウンロードさせるため前記携帯装置を採用する工程からなることを特徴とする請求項１１記載の方法。
【請求項１３】
前記携帯装置が個人デジタル補助手段であることを特徴とする請求項１２記載の方法。
【請求項１４】
前記無線リンクが赤外線リンクおよび無線周波リンクの１つであることを特徴とする請求項１２記載の方法。
【請求項１５】
前記中央ハブで前記スポンサーの第２広告を提示する工程と；
前記第２広告を活性化するためユーザからのクリックスルー命令を受信する工程と；
販売製品を提示する第２広告の注文スクリーンを送り出す工程と；
前記注文スクリーンに前記ユニークプログラム識別子を通す工程と；
前記製品の注文を受付て、前記注文に前記ユニークプログラム識別子と関連させる工程と；
前記スポンサーに前記注文の手数料を請求する工程と；
をさらに含むことを特徴とする請求項１１記載の方法。
【請求項１６】
前記ウエブサイトで第２スポンサーの第２広告を提示する工程と；
前記第２広告を活性化するためユーザからのクリックスルー命令を受信する工程と；
販売製品を提示する第２広告を注文スクリーンを送り出す工程と；
前記注文スクリーンに前記ユニークプログラム識別子を通す工程と；
前記製品の注文を受付て、前記注文を前記ユニークプログラム識別子と関連させる工程と；
前記第２スポンサーに前記注文の手数料を請求する工程と；
をさらに含むことを特徴とする請求項１１記載の方法。
【請求項１７】
広告を放送する工程とユニークプログラム識別子を放送する工程が少なくとも１つの衛星から放送することを特徴とする請求項１１記載の方法。
【請求項１８】
広告料金を請求する方法において、
（ａ）複数のスポンサーと関連する広告を放送する工程と；
（ｂ）広告と共にユニークプログラム識別子を放送する工程と；
（ｃ）前記複数のスポンサーのあるスポンサーの製品を購入するため無線オーダーメッセージを受信し、前記無線オーダーメッセージは前記ユニークプログラム識別子を参照する工程と；
（ｄ）前記スポンサーの製品を購入するために受信された前記無線オーダーメッセージの料金を前記スポンサーに請求する工程と；
を含むことを特徴とする方法。
【請求項１９】
広告を放送する工程とユニークプログラム識別子を放送する工程は少なくとも１つの衛星から放送することからなることを特徴とする請求項１８記載の方法。
【請求項２０】
ラジオリスナー反応を提供するシステムにおいて、
（ａ）選択ボタンを備えたラジオであり、前記選択ボタンの活性によりラジオ放送プログラムのセグメントに付随するプログラム識別子を記録させるラジオと；
（ｂ）前記プログラム識別子に付随する情報を蓄積し、または同情報とのリンクを有する中央ハブと；
（ｃ）記録されたプログラム識別子を前記中央ハブと交信し、前記プログラム識別子に付随する情報を獲得するための手段と；
を含むことを特徴とする方法。
【請求項２１】
プログラム識別子がプログラミングセグメント、広告、記述された個数の製品、および反応の少なくとも１つを識別することを特徴とする請求項２０記載の方法。
【請求項２２】
前記プログラム識別子がメディアリンク上に記録されることを特徴とする請求項２０記載の方法。
【請求項２３】
前記プログラム識別子が高電力無線送信器および低電力無線送信器の少なくとも１つを介して送信されることを特徴とする請求項２０記載の方法。
【請求項２４】
前記通信手段が電子ネットワークからなることを特徴とする請求項２０記載の方法。
【請求項２５】
前記ラジオ放送プログラミングが少なくとも１つの衛星から放送されることを特徴とする請求項２０記載の方法。
【請求項２６】
さらに前記地上リピータを備えることを特徴とする請求項２５記載の方法。
【請求項２７】
前記中央ハブが電子ワールドワイドウエブサイトであることを特徴とする請求項２０記載の方法。
【請求項２８】
デジタルラジオ放送システムで移動商取引を実行するシステムにおいて、
（ａ）少なくとも１つのコンテンツプロバイダと；
（ｂ）前記コンテンツを放送するための手段と；
（ｃ）前記少なくとも１つのラジオが少なくとも１つの衛星から放送されたコンテンツを受信し扱うように構成された複数のラジオと；
を含み、前記コンテンツが複数のセグメントに分離され、各セグメントはプログラム識別子を割り当てられていることを特徴とするシステム。
【請求項２９】
前記放送手段が少なくとも１つの衛星を備えることを特徴とする請求項２８記載のシステム。
【請求項３０】
前記放送手段が少なくとも２つの衛星を備えることを特徴とする請求項２８記載のシステム。
【請求項３１】
前記少なくとも１つのラジオが少なくとも１つのコンテンツセグメントに付随する詳細情報を使用しまたは表示するために動作可能であることを特徴とする請求項２８記載のシステム。
【請求項３２】
前記少なくとも１つのラジオが選択ボタンを含むことを特徴とする請求項２８記載のシステム。
【請求項３３】
前記選択ボタンの活性で、前記プログラム識別子が蓄積されることを特徴とする請求項３２記載のシステム。
【請求項３４】
前記プログラム識別子が非着脱メモリとメディアリンクの少なくとも１つに蓄積されることを特徴とする請求項３２記載のシステム。
【請求項３５】
前記選択ボタンの活性により前記プログラム識別子を無線ネットワークを介して伝達させることを特徴とする請求項３２記載のシステム。
【請求項３６】
前記少なくとも１つのラジオがスクロールボタンを備えることを特徴とする請求項２８記載のシステム。
【請求項３７】
前記スクロールボタンの活性により一連のプログラム識別子を少なくとも１つのラジオの表示器に表示させることを特徴とする請求項３６記載のシステム。
【請求項３８】
前記少なくとも１つのラジオが高電力無線送信器と通信状態にあることを特徴とする請求項２８記載のシステム。
【請求項３９】
前記少なくとも１つのラジオが前記プログラム識別子を表示することを特徴とする請求項２８記載のシステム。
【請求項４０】
デジタルラジオ放送システムで移動商取引を実行するシステムにおいて、
（ａ）各々がプログラム識別子を含む複数のプログラムセグメントからなるデジタルラジオ放送を受信するように構成されたラジオと；
（ｂ）前記プログラム識別子の少なくとも１つを記録するメディアリンクと；
（ｃ）電子ネットワークを介して到達可能で、前記メディアリンク上に記録された少なくとも１つのプログラム識別子を受信する中央ハブと；
（ｄ）前記電子ネットワークに接続されかつ前記中央ハブからの前記プログラム識別子に付随する情報を受信するコンピュータと；
を備えていることを特徴とするシステム。
【請求項４１】
前記デジタルラジオ放送を放送するために動作可能な少なくとも１つの衛星をさらに備えることを特徴とする請求項４０記載のシステム。
【請求項４２】
前記ラジオが選択ボタンからなり、前記選択ボタンの活性化がプログラム識別子を前記メディアリンクに記録させることを特徴とする請求項４０記載のシステム。
【請求項４３】
前記メディアリンクが前記ラジオと一時的に且つ物理的に接続されることを特徴とする請求項４０記載のシステム。
【請求項４４】
前記ラジオが低電力送信器からなることを特徴とする請求項４０記載のシステム。
【請求項４５】
前記メディアリンクが前記低電力送信器を介して前記少なくとも１つのプログラム識別子を記録することを特徴とする請求項４０記載のシステム。
【請求項４６】
前記ラジオがプログラム識別子のリストを蓄積する非着脱メモリからなることを特徴とする請求項４０記載のシステム。
【請求項４７】
前記ラジオがさらに、活性化されると、前記リスト内の前記プログラム識別子を連続的に表示させるスクロールボタンからなることを特徴とする請求項４６記載のシステム。
【請求項４８】
前記プログラム識別子がコンテンツセグメント、広告、記述された個数の商品、および応答の少なくとも１つを識別することを特徴とする請求項４０記載のシステム。
【請求項４９】
前記コンピュータがユーザの住所に配置されていることを特徴とする請求項４０記載のシステム。
【請求項５０】
前記コンピュータがキオスクに配置されることを特徴とする請求項４０記載のシステム。
【請求項５１】
前記コンピュータが携帯であり、無線接続を介して前記インターネットで動作可能であることを特徴とする請求項４０記載のシステム。
【請求項５２】
前記コンピュータが自動車に搭載可能であり、かつ除去可能であり、かつ有線ネットワークに接続可能であることを特徴とする請求項４０記載のシステム。
【請求項５３】
前記ラジオが高電力送信器と全地球測位システム装置の少なくとも１つと通信状態にあることを特徴とする請求項４０記載のシステム。
【請求項５４】
ラジオリスナー反応を提供するシステムにおいて、
（ａ）各々がプログラム識別子を含む複数のプログラムセグメントからなるデジタルラジオ放送を受信するように構成されたラジオと；
（ｂ）少なくとも１つのプログラム識別子を受信するように、かつ少なくとも１つのプログラム識別子に付随する情報が得られる中央ハブに少なくとも１つのプログラム識別子を送信するように動作可能である高電力無線送信器と；
を備えていることを特徴とするシステム。
【請求項５５】
前記デジタルラジオ放送が少なくとも１つの衛星から放送されることを特徴とする請求項５４記載のシステム。
【請求項５６】
前記少なくとも１つのプログラム識別子がコンテンツセグメント、広告、記述された個数の商品、および応答の少なくとも１つを識別することを特徴とする請求項５４記載のシステム。
【請求項５７】
前記ラジオがプログラム識別子選択ボタンからなることを特徴とする請求項５４記載のシステム。
【請求項５８】
前記高電力無線送信器が無線トランシーバからなることを特徴とする請求項５４記載のシステム。
【請求項５９】
前記ラジオが少なくとも１つのプログラム識別子を選択するために動作可能な音声認識システムからなることを特徴とする請求項５４記載のシステム。
【請求項６０】
ラジオが前記中央ハブでまたは介して得られる情報の少なくとも一部を表示する表示装置であることを特徴とする請求項５４記載のシステム。
【請求項６１】
前記システムがさらに全地球測位システム装置からなることを特徴とする請求項５４記載のシステム。
【請求項６２】
前記ラジオのメモリが複数のプログラム識別子を蓄積することを特徴とする請求項５４記載のシステム。
【請求項６３】
前記中央ハブが電子商取引ワールドワイドウエブサイトであることを特徴とする請求項５４記載のシステム。
【請求項６４】
衛星放送システムでラジオリスナー反応を提供するシステムにおいて、
（ａ）前記衛星から送られ、各々がプログラム識別子を含む複数のプログラムセグメントからなるデジタルラジオ放送を受信するように構成されたラジオと；
（ｂ）少なくとも１つのプログラム識別子を受信するように、かつ中央ハブに少なくとも１つのプログラム識別子を送信するように動作可能な高電力無線送信器と；
を備えていることを特徴とするシステム。
【請求項６５】
前記プログラム識別子は投票と賞金レース参加の少なくとも１つをあらわすことを特徴とする請求項６４記載のシステム。
【請求項６６】
衛星ラジオ放送システムで移動商取引を実行するシステムにおいて、
（ａ）少なくとも１つのコンテンツプロバイダと；
（ｂ）前記コンテンツを放送する少なくとも１つの衛星と；
（ｃ）少なくとも１つのラジオが少なくとも１つの衛星から放送されたコンテンツを受信し使用し、かつ印刷を支持するように構成された複数のラジオと；
を備え、前記コンテンツが複数のセグメントに分離され、各セグメントはプログラム識別子を割り当てられ、少なくとも１つのラジオは前記セグメントに関連する情報を印刷するように動作可能であることを特徴とするシステム。
【請求項６７】
前記少なくとも１つのラジオはプリンタポートと通信状態にあることを特徴とする請求項６６記載のシステム。
【請求項６８】
前記少なくとも１つのラジオはプリンタと通信状態にあることを特徴とする請求項６６記載のシステム。
【請求項６９】
前記プリンタがドットマトリクスプリンタ、インクジェットプリンタ、バブルジェット（登録商標）プリンタ、およびサーマルヘッドプリンタの１つであることを特徴とする請求項６８記載のシステム。
【請求項７０】
前記情報が前記プログラム識別子からなることを特徴とする請求項６６記載のシステム。
【請求項７１】
前記情報がクーポンと機械読み出しバーコードの少なくとも１つからなることを特徴とする請求項６６記載のシステム。
【請求項７２】
前記少なくとも１つの衛星は実質的に同じコンテンツを伝達する２台の衛星からなることを特徴とする請求項６６記載のシステム。
【発明の詳細な説明】
【技術分野】
【０００１】
本出願は、ここに参照のために掲載された、１９９９年１２月１４日に提出された「音楽およびデータを配信するシステムおよび方法」と称する米国出願番号第０９／４６１，６９９号の一部継続出願である。
【０００２】
本発明は移動商取引のシステムおよび方法を言及している。特に、本発明は放送コンテンツに付随するプログラム識別子を獲得し、および放送コンテンツと関連する製品および／またはサービスの更なる情報を獲得するため、および放送コンテンツと関連する製品および／またはサービスを購入するため、および放送制御装置および他のパーティに放送コンテンツに関するインタラクティブフィードバック（反応）を提供するためにプログラム識別子を採用するシステムおよび方法を言及している。本発明はさらに移動商取引状況の中で収益を発生する方法を言及している。
【背景技術】
【０００３】
現在、音楽と情報は２つの主要方法、すなわち、（１）放送チャンネル（例えば、ラジオとテレビジョン）および（２）物理的な蓄積媒体（本、テープ、ＣＤ等）の配布で広く普及している。放送チャンネルは申請の自由化と共に豊富な種々のコンテンツを提供しているが、利用者は放送されているコンテンツのプログラムを制御できない。さらに、蓄積装置を使用せずに放送内容を永久蓄積できなく、たとえこのような蓄積装置が広範囲に入手できたとしても、そのような記録行為は違法である。したがって、使用者の選択時に蓄積されたコンテンツの使用または楽しみを可能にさせる物理的な蓄積媒体（例えばＣＤ）のライブラリを保存することが一般的な方法である。
【０００４】
物理的な蓄積媒体（本、テープ、レコード、ＣＤ等）の配布は現在費用のかかるプロセスである。例えば、音楽配布はコピーを頒布のために製作されるマスターディスクに音楽を蓄積することで始まる。コピーはＣＤテープまたは他の通常の音楽蓄積媒体に蓄積され、各コピーはラベルが貼られ、パッケージに収められる。パッケージは典型的には、アーチストに関する情報、作品のタイトル、作品の内容、販売者名を提供するためフルカラーで印刷される。さらに、パッケージはしばしば選択部門に合致し、消費者を魅了するように芸術的にデザインされる。これらの特徴のすべてが音楽を配布する通常の方法に関連する相当なコストに加わる。
【０００５】
したがって、コンテンツプロバイダおよび／またはアーチストの権利を侵害しない合法的な方法で最終ユーザの要望にしたがって、物理的な蓄積メディア上の音楽、情報、および他のコンテンツを配布するための低廉なシステムまたは方法の技術に要望が存在する。この要望の一つの回答はエス．パツイオカス（Ｓ．Ｐａｔｓｉｏｋａｓ）特許により１９９９年１２月１４日に出願された米国出願番号第０９／４６１，６９９号に記載され、「音楽およびデータを配布するシステムおよび方法」と名称を付与されている。この文献は参考のためそのままここに記載されている。
【０００６】
パツイオカス特許は音楽またはデータがまず無線ネットワークを介して消費者に送信される音楽およびコンテンツを配布するためのシステムを記載している。特定の例示された実施例において、無線ネットワークは衛星および地上無線ネットワークである。ユーザは無線送信を受信し且つ受信に応答するオーディオおよび／またはビジュアル出力を発生できる受信機 (例えば、ラジオ)を提供される。さらに、受信機はユーザが演奏および／または表示されている音楽またはデータセレクションの購入の関心について信号を送れるユーザからの入力を受信するように適合される。例示された実施例において、ユーザからのこの信号と、コンテンツプロバイダからの入力に応答して送信されたレコードアビリティフラグに応答して、演奏されているおよび／または表示されているセレクションを特定するプログラム識別子 (または「ＰＩＤ」)信号が着脱可能な媒体に蓄積される。この具体的な例示実施例において、着脱可能な媒体は電子(フラッシュ)メモリである。ＰＩＤ信号はセレクションが演奏された時間およびチャンネルを示す合成信号、番号によりセレクションを特定する信号、または他の適切な信号である。受信機またはユーザのホームコンピュータはユーザセレクションに基づいてタイトル、アーチストおよび／または他の情報を表示するために使用できる。
【発明の開示】
【発明が解決しようとする課題】
【０００７】
このシステムはユーザに着脱可能な媒体を使用して第２ネットワークから所望のセレクションを検索させる機構を含んでいる。いくつかの代案が検索機構のために提供される。一実施例において、検索機構はユーザにワールドワードウエブのウエブサイトまたはプライベート分配ハブのサイトをアクセスさせるユーザのホームまたは商業施設に設けられたコンピュータである。どちらの場合も、サイトはプログラム識別子信号を選択された音楽またはデータ(情報)の人間が判読できる指示（例えば、タイトル、アーチスト）に翻訳するインターフェースプログラムを設けている。代案の実施例において、コンピュータは公衆にアクセス可能なキオスクに設けられる。ユーザはサイトを介して所望のセレクションをダウンロードし、または所望のセレクションが蓄積される物理的な媒体(例えば、ＣＤ)の配送の注文を発する。
【０００８】
パツイオカス特許により記載されたシステムは音楽を配信する従来の方法およびシステムに著しい進歩を提供すると共に、無線ネットワークを介しておよび特に衛星放送ネットワークを介して音楽および情報を放送することから実現される多くの他の利点がある。
【課題を解決するための手段】
【０００９】
したがって、本発明の目的は移動商取引を容易にするシステムおよび方法を提供することにある。
【００１０】
本発明の他の目的は１つまたは複数の衛星から放送されるプログラムセレクションまたはセグメントを独自に特定するためプログラム識別子を割り当てるため、および放送リスナーと中央ロケーション間の取引を調整するためにプログラム識別子を採用するためのシステムおよび方法に関する。
【００１１】
本発明の目的は広告に伴う商品を注文するため、情報を受信するため、および／または１つまたは複数の選択されたプログラムセグメントに関する反応を提供するためのシステムおよび方法を提供することにある。
【００１２】
さらに本発明の目的は移動商取引状況内で収益を発生するシステムおよび方法を提供することにある。
【００１３】
本発明は１つまたは複数の衛星が(好ましくは、デジタル形式の)コンテンツを地上の移動および固定受信機に送信するシステムを提供することによりこれらのおよび他の目的を達成する。各コンテンツセグメントは好ましくはプログラム識別子を含むヘッダ領域を含んでいる。ここで、「プログラム識別子」は単一の歌、歌のグループ、音楽の完全アルバム、ラジオ番組および／またはその個別の部分、広告、広告掲載の商品、または（投票の返答、放送クイズ問題に対する返答のような）他のパーティに対する特定の返答または返答を含むコンテンツセグメント独自に特定する指示タグ、ワード、番号等を意味する。
【発明の効果】
【００１４】
本発明の実施例に従うと、プログラム識別子は蓄積媒体に送られ、情報およびまたは製品が広められるまたはリスナーの反応が集められ分析されるワールドワイドウエブまたは他の集中分配ハブ（ロケーション、サーバ、またはプロセッサ）に順次送られる。この反応機能はラジオ「投票」、賞金レース、および／またはゲーム機能を提供するために使用できる。
【００１５】
本発明の典型実施例において、スタジオ／アップリンクサイトが音楽および／または情報のセレクションをデジタル的に解読し、各セレクションを独自に特定するプログラム識別子(ＰＩＤ)を含むヘッダを応用する。プログラム識別子は音楽のセレクション、広告、広告に付随する商品、またはオーディオ、テキストおよびまたは他の視覚情報を含むラジオ受信機に送信されるものに対する応答または反応を独自に識別する。
【００１６】
ラジオのユーザインターフェースは受信機がリスナー／ユーザからの入力を受信するのを可能にする。この入力は任意のセレクション、例えば、コンテンツセグメントの関心を示している。本発明の最良の形態において、ユーザインターフェースは関心のあるセレクションに付随するプログラム識別子を記録し、選択し、またはタグ付けするために押圧される１つまたは複数のボタン、例えば、「選択」ボタンを含んでいる。一実施例において、着脱可能なメモリ「フラッシュカード」媒体リンクが選択されたプログラム識別子を獲得するために使用される。獲得されたプログラム識別子を中央ハブに転送するため、、カードが電子ネットワークに自身接続されるコンピュータに付随するリーダに挿入される。代替実施例において、「選択」ボタンの代わりに、ラジオはリスナー／ユーザからの入力を受信するための音声認識装置または他の適当な手段を備えている。さらに本発明の他の実施例において、無線リンクが獲得されたプログラム識別子が無線リンク上の中央ハブに実質的に且つ自動的に転送されるような「選択」ボタンを押すことにより確立される。後者の実施例はフラッシュメモリカードの必要性を除去し、リアルタイムインタラクティブ機能を有するラジオを提供する。
【００１７】
他の実施例において、本発明はラジオを制御するため正常に要求される関与以上の、リスナーまたは加入者の追加の関与を必要としない。本発明の装置はリスナーがチャンネルに同調される時間中送信されるプログラム識別子をリスナーが選択し記録するチャンネルを単に登録するだけである。
【００１８】
他の実施例において、リスナーは２つの個別ボタン（例えば、異なる形状のまたは色付けされたボタン）の１つを選択することにより肯定的関心（または承認）または否定的関心（または不承認）を示すことができる。この場合、装置はプログラムＩＤと押圧されたボタンを蓄積する。
【００１９】
他の実施例において、リスナーの反応の範囲はプログラムＩＤと共に蓄積される。このような反応は複数選択問題の応答またはボイスによる返答さえ選択することを含んでいる。
【００２０】
別の実施例において、（ＡＭ，ＦＭまたは他の衛星ラジオサービスプロバイダのような）複数のコンテンツプロバイダまたはソースはコンテンツプロバイダの指示および (もしあれば)コンテンツプロバイダにより送られたプログラムＩＤを蓄積することにより本発明の装置によりサービスを与えられる。
【００２１】
さらに別の実施例において、個別のプログラムセグメントに付随する情報はプログラムＩＤを含む放送と同時に放送される。この情報はラジオに備えられたメモリに蓄積される。リスナーは放送中または以後の時間にラジオの選択ボタンを押し、蓄積されるべき情報を検索でき、それにより関心のあるプログラムセグメンツに付随する追加のコンテンツを受信できる。
【００２２】
本発明のこれらのおよび他の利点および目的は添付図面と関連する以下の詳細説明を読むことにより明らかになるであろう。
【００２３】
本発明は主として衛星ラジオ放送との関連で記載されているが、本発明の原理は宇宙拠点、空中、地上、または組み合わせ発信源からの他のデジタル放送に応用可能である。
【発明を実施するための最良の形態】
【００２４】
衛星ラジオオペレータはまもなく米国全体をカバーするデジタルラジオ放送サービスを提供する予定である。これらのサービスは各々ほぼ１００チャンネルを提示しており、そのうちほぼ５０チャンネルが音楽であり、残りの局がニュース、スポーツ、トーク、およびデータチャンネルを提示している。
【００２５】
衛星ラジオはより良好な音声品質、より広いカバー範囲、より少ないコマーシャルを提供することにより地上のラジオの潜在力を改善する能力を持っている。したがって、１９９７年１０月に、連邦通信委員会（ＦＣＣ）は２つの全米衛星ラジオ放送ライセンスを与えた。ＦＣＣは衛星デジタル放送用の電磁スペクトラムの２５ＭＨｚと、「シリウス・サテライト・ラジオ」により所有された１２．５ＭＨｚと、「エックスエム・サテライト・ラジオ・インコーポレーテッド」により所有された１２．５ＭＨｚを割り当てた。
【００２６】
衛星放送の展開において、１つのシステム計画は２基以上の静止衛星から地上の移動および固定受信機にプログラムコンテンツを送信することを含んでいる。視野方向（ＬＯＳ）衛星受信可能範囲の限定された都市の谷部および他の高人口密度領域において、地上のリピーターが受信可能範囲の信頼性を改善するため同一のプログラムコンテンツを放送する。ある移動受信機は２基の衛星と、合成された空間周波数時間ダイバーシティのための１つの地上リピーターからの信号を同時に受信でき、マルチパスインターフェレンスの相当な軽減を与え且つ衛星信号の阻止に伴う受信問題を対処する。さらに、特定の構想にしたがって、１２．５ＭＨｚバンドは６個のスロットに分割される。４個のスロットは衛星送信に使用され、残り２つのスロットは地上の強化のために使用される。
【００２７】
本発明によると、合法手段内の音楽、情報、および他のコンテンツを配信するための新規で有利なシステムおよび方法を提供するためおよび衛星ラジオリスナーから１つまたは複数のパーティに反応を提供するため、衛星ラジオ送信情報は着脱可能な蓄積媒体に転送され、ワールドワイドウェブまた集中分配ハブに送られる。無線媒体リンクは本発明により検討される。
【００２８】
衛星デジタルオーディオラジオサービス（ＳＤＡＲＳ）システムアーキテクチャの例示の実施が図１および図２に示される。図１に示されるように、システム１０は地球の表面に設けられたＳＤＡＲＳに受信機に視野方向（ＬＯＳ）信号を送信する第１および第２静止衛星１２および１４を含んでいる。好ましくは、複数の衛星は交互配置および空間ダイバーシティを提供する。システム１０はさらに好ましくは衛星からのＬＯＳ受信が高層ビル、丘、トンネル、および他の障害物で遮られる地理的領域で信頼できる受信を容易にするため衛星信号を受信し再送信する複数のリピーターを含んでいる。衛星１２および１４およびリピーター１６により送信された信号はＳＤＡＲＳ受信機（またはラジオ）２０により受信される。図１に図示されているように、受信機２０は自動車に搭載でき、または家庭用またはオフィス用の手持ちまたは据え置き装置である。受信機２０は衛星信号および／または地上リピーターからの信号の１つまたはその双方を受信するため且つ受信機出力を発生するため少なくとも１つの信号を合成または選択するために設計される。
【００２９】
図２は１基の衛星と１基の信号地上リピーターを有する図１のシステム１０をより詳細に示す図である。図２は放送セグメント２２と地上リピーターセグメント２４を示す。この例示の実施例において、到来ビット流が従来設計のエンコーダ２６による（ＭＰＥＧまたは任意の他の圧縮方式のような）オーディオ圧縮方式を使用して時分割マルチプレクス (ＴＤＭ)信号に解読される。ＴＤＭビットストリームは従来の直交位相シフトキーイング（ＱＰＳＫ）変調器２８によりＲＦに変換されない。未変換のＴＤＭビットストリームはアンテナ３０により衛星１２および１４にアップリンクされる。当業者は本発明が示された放送セグメントに限定されないことを理解するであろう。他のシステムが本発明の教示の範囲から逸脱することなく信号を衛星に送信するために使用可能である。
【００３０】
例示されたシステムにおいて、衛星１２および１４は「曲げパイプ」として作用する。衛星はアップリンクされた信号の周波数を翻訳し、信号を地上リピーター１８と携帯／移動ラジオ２０に再送信する。図２に示されるように、地上リピーターは受信機デモジュレータ３４、デインターリーバ兼リフォーマッター３５、地上波形変調器３６、および周波数トランスレータ兼増幅器３８を含む。受信機兼デモジュレータ３４はダウンリンクされた信号をＴＤＭビットストリームにダウンコンバートする。デインターリーバ兼リフォーマッター３５は地上波形用のＴＤＭビットストリームを再配列する。デジタルベースバンド信号は地上波形変調器３６（例えば、ＭＣＭまたはマルチ搬送波変調器）に入力され、送信前に搬送周波数に周波数変換される。当業者は複数のアップリンク信号を単一のダウンリンク信号に復調し、再フォーマットし、再変調し、およびまたは合成するためオンボード処理を利用する衛星システムが本発明により考慮されることを認識するであろう。
【００３１】
図３は、本発明の原理に従った、商品とサービスを販売し、リスナーのために情報を検索し、リスナーからの情報を収集するシステム１１００を示す高レベルの図である。システム１１００は供給リンク１１３０を介してコンテンツプロバイダ１１２０からプログラムコンテンツ（例えば、音楽、情報、広告等）を受信するスタジオ／アップリンクサイト１１１０を含んでいる。当業者により認識されるように、コンテンツは電気的にまたはコンパクトディスクのような物理的な蓄積媒体に提供される。スタジオ／アップリンクサイト１１１０はコンテンツプロバイダ１１２０により提供された音楽および／または情報のセレクションをデジタル的にエンコードし、各セレクションを独自に認識するプログラム識別子（ＰＩＤ）を含んでいるヘッダである。プログラム識別子は音楽のセレクション、広告、広告に付随する商品、またはオーディオ、テキスト、視覚情報を含むラジオ受信機２０に送信されるものに対する応答または反応のカテゴリを独自に特定できる。ＰＩＤがアップリンクの基点にかかわらず全てのコンテンツに適用されるなら、前述のプログラム識別子はマルチアップリンクを利用するシステムに用いる。
【００３２】
ヘッダと共にコード化されたビットストリームはアンテナ３０を介してスタジオ／アップリンクサイト１１１０から衛星１２にアップリンクされる。上述のように、衛星１２は（例えば、ＸバンドからＳバンドへの）周波数変換を有する曲げパイプとして作用し、受信信号を携帯／移動衛星ラジオ受信機２０に送信する。
【００３３】
任意の時間に、受信機２０は（図５に示される）ユーザインターフェース１０００を介してユーザにより選択可能な複数のチャンネルに受信された複数のセレクションのいずれか１つを使用する。ユーザインターフェース１０００は受信機が任意のセレクションの興味を示すリスナー／ユーザからの入力を受信することを可能にする。好ましい実施例において、ユーザインターフェースは興味の選択に付随するプログラム識別子を記録し、選択し、またはタグをつけるために押圧される一つまたは複数のボタンを有する。一実施例において、着脱可能なメモリ「フラッシュカード」メディアリンク１１４０が選択されたプログラム識別子を獲得するために使用される。代案の実施例において、ラジオ２０は音声認識システム（図示せず）またはリスナー／ユーザからの入力を受信するための他の適当な手段を含む。本発明の教示によれば、ユーザが情報または商品を受信しまたはユーザのセレクションに関して返信したければ、ユーザは受信機２０からのメディアリンク１１４０を除去し、メディアリンク１１４０をコンピュータ１１５０に接続された妥当なリーダ (図示せず)に挿入される。コンピュータ１１５０は好ましくはユーザが第２ネットワーク１１６０をアクセスでき本発明の教示に従って設計され構成されたウエブサイトまたは中央プライベート分配ハブ１１７０に対する接続を達成するモデムに取り付けられる。
【００３４】
代案の実施において、（ラップトップコンピュータ、パーソナルデジタルアシスト、または入力装置のある形状のセルラー電話のような）中間転送装置はラジオ内のメモリ装置からの蓄積されたプログラムＩＤを再生するために使用される。この中間装置は（モデムまたはセルラー電話付ＰＤＡの場合）ウエブに直接リンクされ、ラジオから他のコンピュータに情報を転送するために単に使用される。また、中間転送装置は自動車に搭載された携帯コンピュータ、例えば、「オートＰＣ」である。
【００３５】
図３に示されるように、ユーザは公然とアクセス可能なキオスク１１８０または商業設備内のコンピュータにメディアリンク１１４０に取り込み、ユーザが広告に付随する商品注文できるまたは更なる情報を得られるまたは上述の方法でセレクションに関する反応を与える電子商取引ウエブサイトをアクセスできる。
【００３６】
サイトまたはハブ１１７０は好ましくはユーザにメディアリンク１１４０からのプログラム識別子を読み取り、ユーザの精読のための所望のセレクションに関する情報を表示するソフトウエアインターフェースを提供する。商品の場合、例えば、情報は広告品、価格、購入選択、配達選択等を含む。ユーザは商品の注文に選択肢を与えられ、さらなる情報を得られ、または返答を提供する。
【００３７】
図４に示されるように、受信機２０は好ましくはアンテナモジュール１１０、ＲＦチューナモジュール２００、チャンネルデコーダ３００、オーディオデコーダ４００、非着脱メモリ５００、オプショナル低電力無線送信器(またはトランシーバ）６００、オプショナル高電力無線送信器（またはトランシーバ）７００、システム制御装置８００、およびユーザインターフェース１０００を含む。低電力および高電力装置６００、７００はラジオ２０と装置６００、７００間の通信が実行可能である限り物理的にラジオ２０から分離できる。
【００３８】
図５は本発明によるラジオ２０のための典型ユーザインターフェース１０００の例示である。図示されるように、好ましくはプログラム識別子、プログラムのタイトル、適切な場合には、アーチストおよびまたは他の関連情報を表示する表示器１２００がある。好ましくは、チャンネル番号１２１０と時間１２１５もまた表示される。もちろん、表示された情報の説明は本質的に典型であり、必ずしも前述の情報のすべてを表示器１２００に表示する必要があるわけではないことを理解すべきである。表示器１２００は液晶表示器または他の適当な表示器のような従来の既知の表示器である。特有のプログラムセグメントまたはセレクションの関心を指示するために、「選択」ボタン１２２０はリスナーにより押圧され、活性化されまたは駆動される。選択ボタン１２２０の使用および効果は以下により詳細に説明される。
【００３９】
スクロールボタン１２３０は予めタグ付けされまたは選択され、または非着脱メモリ５００に蓄積されたプログラムスクロールのスクロール操作を可能にする。スロット１２４０がフラッシュカードメモリ、例えば、メディアリンク１１４０に与えられる。代案として、低電力無線送信器６００（例えば、ブルートゥース標準または他の適当な既知の技術に従った赤外線送信器またはＲＦ送信器）はラジオ２０から、フラッシュメモリまたは、他の例では、ソニー・インコーポレーテッド（日本）により製造された「プラグ＆プレイ」装置である、メディアリンク１１４０に情報、すなわち、プログラム識別子を転送するために採用される。説明されるように、メディアリンク１１４０はユーザに関心のあるプログラムセグメントに関連する選択されたプログラム識別子を獲得するために使用される。本発明によると、メディアリンク１１４０は物理的な装置に制限されないが、無線リンクにより以下でより詳細に説明されるようにコンピュータまたはウエブサイトに代替可能である。
【００４０】
さらに他のまたは組み合わせ実施例において、ラジオ２０は好ましくは、例えば、既知のテキストページングシステム（例えば、ジョージア州アトランタのシンギュラー・ワイヤレス（Ｃｉｎｇｕｌａｒ  Ｗｉｒｅｌｅｓｓ）により運営される既知のＭｏｂｉｔｅｘネットワーク）またはセルラー電話ネットワークに実施されたショートメッセージシステムに割り当てられた技術、プロトコル、および電磁スペクトラムを使用して動作する（図４に示される）高電力無線送信器７００を含む。この場合、図３のメディアリンク１１４０は無線送信リンクにより置換される。
【００４１】
図６は少なくとも非着脱メモリ５００に蓄積され、および場合によって物理的なメディアリンク１１４０に蓄積されたおよび／または高電力無線送信器７００を介して蓄積された情報の模範テーブルを示す。本発明の一実施例において、ラジオ２０で聴取された各プログラムの情報は図６のテーブルと一致するフォーマットで非着脱メモリ５００に蓄積される。他の実施例において、図６のテーブルにリストされた情報の型の一部のみが記録される。例えば、ユーザにより選択されたプログラムコンテンツと関連するプログラム識別子のみが記録される。換言すると、図６のテーブルは例示目的のみのためであり、本発明の範囲に限定することを意図していない。
【００４２】
一般的に、選択ボタン１２２０の押圧はリスナーが関心を持っていることまたは放送されているコンテンツに対して返答することを望んでいることを示している。コンテンツはそのとき放送されているコンテンツに付随するプログラムコンテンツにより独自に特定される。独自の識別子は適切に作用されるウエブサイト(図３)のような中央ロケーションに送り返される。
【００４３】
例えば、もしプログラム識別子が特定の歌およびアーチストを特定すると、ウエブサイトは好ましくはリスナーがどのように音楽セレクションが見つけられるコンパクトディスク（ＣＤ）のコピーを獲得しまたは購入できるかに関する情報、またはリスナーがどのように選択された特定のトラック（または、複数のトラック）のコピーを含むカスタムコンパクトディスク（または他の蓄積媒体）を購入するかに関する情報を提供する。同様に、もしプログラム識別子が自動車の型の広告を特定するなら、ウエブサイトがユーザーからプログラム識別子を受信すると、自動車に関する情報が直接または他のウエブサイトにリンク（ポインタ）を介してユーザに入手される。
【００４４】
本発明によると、ユニーク識別子がラジオ受信機２０のリスナー／ユーザにより獲得できるいくつかの実施がある。これらの実施はこれまで記載されているように物理的な媒体リンクまたはメモリ装置を含むがそれに限定されない。さらなる実施は以下に記載される。
【００４５】
手動検索：
マニュアルプログラム識別子検索が実行できるいくつかの方法がある。まず、もし関心のあるセレクションのユニーク識別子が表示器１２００に表示されると、リスナーがペンや紙を使ってプログラム識別子を単に書き留め、（少なくとも後で）プログラム識別子を、例えば、中央ハブまたはウエブサイト１１７０に接続されたコンピュータに入力できる。
【００４６】
もしリスナーが車を運転しているとき、何かを紙に書くのは危険である。このような危険な行動を避けるため、リスナーは関心のあるコンテンツがラジオ２０で放送されるとき選択ボタン１２２０を押圧すればよい。コンテンツに付随する(少なくとも)プログラム識別子は非着脱メモリ５００に蓄積される。リスナーが運転をやめたとき、スクロールボタン１２３０を使用して（図６のテーブルにリストされた他の関連情報と共に）プログラム識別子をスクロールできる。ユーザはまだ関心のあるプログラム識別子を書き留めることができる。
【００４７】
代案として、ラジオ２０は聴取したすべてのコンテンツの（図６に示されるような）リストを蓄積または記録するように構成することができる。このようなリストは好ましくは先入れ先出し（ＦＩＦＯ）フォーマットにしたがって配置されるので、ほとんどの最新のコンテンツセグメントが最初にリストされる。また、ラジオ２０は所定時間、例えば、５秒以上聴取したコンテンツセグメントに付随するプログラム識別子をリストし、プログラム識別子の処理し難いリストを回避するするように構成することができる。この変形実施例において、リスナーは常に「プレイリスト」に戻り、ユーザがセレクションの更なる情報を求めたいかどうかを決定できる。
【００４８】
さらに他の実施例において、表示器１２００に表示された情報はテキスト対スピーチプロセッサで送ることができる。このような特徴は視力の低下したリスナーに有益である。
【００４９】
他の実施例において、ラジオ２０は図６で示されるようなフォーマットの任意の単一セレクションまたはセレクションの完全リストを印刷するために使用されるプリンタまたは少なくともプリンタポート（図示せず）を含んでいる。プリンタはドットマトリクス、バルブジェット（登録商標）またはサーマルヘッドを含む適切な型である。また、プリンタはキオスクまたは小売店で使用可能なＰＩＤの機械読み取り可能なバーコードを印刷するように構成される。またプリンタは広告されている品物またはサービスに関連するクーポンを印刷するように、または放送されているプログラミングの情報を印刷するように構成できる。もちろん、放送自身は好ましくは印刷の内容のある部分を要求される情報を含んでいる。
【００５０】
媒体リンク：
フラッシュメモリカードのような物理的なメディアリンク１１４０を採用することにより、ラジオ２０からコンピュータ１１５０またはキオスク１１８０にプログラム識別子を転送するのを単純化する。この場合、リスナーが選択ボタン１２２０を押すごとに、そのとき放送されているコンテンツに付随するプログラム識別子はメディアリンク１１４０に蓄積される。メディアリンク１１４０は、前述されたように、好ましくはコンピュータ１１５０に接続されるかまたはキオスク１１８０に付随するリーダに取り込まれ、そこに蓄積された情報はダウンロードされるので、ユーザは製品購入を進め、更なる情報を獲得し、または放送されたコンテンツに関する感想を提供できる。
【００５１】
同様に、もし関心のあるコンテンツごとにリスナーが選択ボタン１２２０を押すことに煩わされたくなければまたはラジオ２０の近くにいなくてボタンを押せない場合、ラジオ２０は好ましくは（手動検索例でのように）聴取したすべてのコンテンツを蓄積するように構成される。そのとき、ユーザは、自分の都合で、いくつかのリスニングをスクロールし、関心のあるセグメントのみ選択ボタン１２２０を押すことができる。メディアリンク１１４０はラジオ２０(例えば、スロット１２４０)から除去され、前述したようにコンピュータ／キオスクに取り込まれる。
【００５２】
当業者は低電力送信器６００がプログラム識別子（および他の関連情報）をメディアリンク１１４０に採用できることを認識するであろう。例えば、Ｐａｌｍ  ＶＩＩ（登録商標）のような無線装置が低電力送信器６００を介してプログラム識別子および電子シリアル番号（ＥＳＮ）を含むラジオ２０のためのユニーク識別子を受信するように使用できる。このような転送を有効にするための無線技術は当業界で既知である。
【００５３】
無線リンク：
あるリスナーは手動検索および煩わしさがより少ない物理的なメディアリンク検索さえ不便と思うかも入れない。したがって、選択されたプログラム識別子の転送する他の方法は無線リンクを介してである。この場合、リスナーはプログラムセグメントが放送される時点で選択ボタン１２２０を押すことにより、またはその後にコンテンツセグメントの蓄積されたＰＩＤでスクロールした後選択ボタン１２２０を押すことにより、関心のあるコンテンツセグメントを選択する場合、ラジオ２０の高電力送信器７００はいくつかの場所の少なくとも１つにプログラム識別子情報を送信する。
【００５４】
第１の例において、情報は電子メールとして後でアクセス可能なユーザのコンピュータに送られる。電子メールは選択されたプログラム識別子がより容易に作用するウエブサイト１１７０に対するリンクを含む。代案として、ラジオ２０の独自電子シリアル番号（ＥＳＮ）または移動認識番号（ＭＩＮ）のような、選択された識別子と独自のユーザ識別子を含む電子メールまたはメッセージが直接ウエブサイト１１７０に送られる。メッセージまたは電子メールはプログラム識別子を送った者に関する情報を含むので、ウエブサイト１１７０は好ましくは追加情報を例えばコンピュータ１１５０またはいくつかの予め配置されたアドレスに送ることにより自動的にユーザに応答する。
【００５５】
もし高電力モジュール７００がトランシーバであると、選択されたプログラム識別子に関する情報がリスナーによりほぼ即時再考のためにラジオ２０に直接送り返される。例えば、もしリスナーが丁度広告された製品を購入したければ、選択ボタン１１２０を押圧し、価格や入手可能性のような製品に関するさらなる情報を受信できる。この情報は好ましくは表示器２００に表示される。リスナーは高電力無線トランシーバを含むので従来のテキストページャとして機能できるラジオ２０を使用して取引を完了する。
【００５６】
同様の状態で、もし高電力無線モジュール７００がトランスデューサであると、完全音声接続がリスナー／ユーザと販売側または情報販売間に確立できる。具体的には、ユーザが選択ボタンを押すと、リスナーは消費者代理人と接続され、会話が両者間で確保される。ラジオ２０に関係する話し手は好ましくは音声通信の話し手として機能する。この場合、電話番号はコンテンツセグメントヘッダの他の部分のプログラム識別子に付随する。選択ボタンが押されると、ラジオ２０は電話番号を検索しおよび／またはバッファに格納され、高電力無線モジュール７００を介してその番号を呼び出すために待機するようにプログラムされる。もちろん、視覚情報は上記実施例と同様に表示される。
【００５７】
さらに他の実施例において、選択ボタンの押圧で消費者代理人と連絡する代わりに、呼び出しは音声活性化される対話音声応答装置（ＩＶＲＵ）に送られる。リスナーは音声命令を使用して選択メニューで容易に誘導される。この実施例は特にラジオを聴きながら運転している者にとって有益である。
【００５８】
本発明の他の態様は投票や賞金レース活動を伴っている。本発明のこの態様はラジオ２０から中央ハブ１１７０にプログラム識別子を獲得し且つ転送する３つの主要方法のいずれかで動作する。例えば、もしチャンネルの１つが新しい歌を放送し、且つリスナーがその音楽を楽しんでいるかどうかを知りたければ、「ディスクジョッキ」は、もしユーザが音楽を楽しんでいるのであれば、リスナーに選択ボタン１２２０を押すように求める。選択ボタン１２２０を押す各リスナーはかけられている歌に付随するプログラム識別子をどのくらいのリスナーが特定の歌を楽しんだかを決定するために受信されたプログラム識別子数を計数できる中央ハブ１１７０に送る（または中央ハブ１１７０を介して他のコンピュータに送る）。基本的に、もし無線リンクの実施が採用されればまたは、幾分遅延するが、手動またはメディアリンクの実施が採用されれば、ほぼ瞬時である投票機構を提供することができる。
【００５９】
同様に、放送「賞金レース」が本発明の原理に従って実行可能である。具体的に、プログラムホスト、または、「ディスクジョッキ」は、特定の歌がかけられまたは言葉で述べられると、全リスナーにかれらの「選択」ボタンを押すように求めることができる。賞品等は正確な時間に選択ボタンを押すすべてのリスナーに提示できる。さらに、リスナーは好ましくはＥＳＮまたはＭＩＮを介して無線リンクの実施で特定できる。ラジオＥＳＮは同様にメディアリンクの実施で転送可能である。
【００６０】
注目すべきは、本発明によると、リスナー／ユーザはしばしばＥＳＮまたはＭＩＮのような独自識別と共に送られるので、各リスナーが投票または賞金レースに参加するとき１回のみ計数されるのを保証することができる。同様に、頻繁に且つ繰り返しの応答でシステムを乱用する傾向にあるリスナー／ユーザを除外することが可能である。
【００６１】
目標広告：
本発明のシステムおよび方法を使用して目標広告を実施することも可能である。具体的に、言及したように、各ラジオ２０はＥＳＮのようなユニーク識別子を含む。広告が売られるように各ラジオを選択的に可能にするため且つもしリスナーが加入者料金を支払えない場合ラジオを無効にするため、衛星から放送された少なくとも１つのチャンネルが可能にすべきすべてのラジオ２０のリスト（例えば、ＥＳＮのリスト）を流す。もし特定のラジオのＥＳＮ(または他のユニーク識別子)が衛星を介して送信されないと、ラジオは衛星ラジオ放送の実施から除外される。このように、特定のラジオ２０を動作可能にしおよび無効にするため、ＳＤＡＲＳオペレータは好ましくはすべてのラジオ２０のリスナー／ユーザのリストを維持している。
【００６２】
本発明によれば、リスナー／ユーザのリストは各リスナー／ユーザの人口統計学的（例えば、年齢、所得、嗜好等）および地理的情報(例えば、市、州、地域等)を含むように拡張される。１つまたは複数の個別制御チャンネルを介して、ＳＤＡＲＳオペレータは好ましくは類似の人口統計学的およびまたは地理的特性を有するリスナー／ユーザのグループのための選択可能な広告材料（または特別のプログラミング）の受信を可能にする。これはすべてのリスナーにより正常に聴取されない「サイド」チャンネルで広告（または他のプログラミング）の流れを送信することにより達成できる。定期的に聴取されるチャンネルでのブロックのプログラミングの中断は広告の始めまたはサイドチャンネルの特殊化されたプログラミング放送と一致するように時期を選ばれまたは同期化される。適切な時間で、制御チャンネルは選択されたラジオ２０がサイドチャンネルに同調し且つ目的放送を受信するのを可能にする。したがって、特殊化された広告および／またはプログラミングでリスナー／ユーザの特定のグループを目標とすることができる。
【００６３】
もちろん、地理的特性がリスナー／ユーザが米国のほぼどの地域でも衛星放送を受信できる可能性に関して正確でないことを理解すべきである。最低限でも、しかしながら、例えば、リスナー／ユーザのリストの請求書情報に基づいて、またはラジオ２０の購入ロケーションに基づいて、各リスナー／ユーザのための最初の地理的ロケーションを決定することができる。
【００６４】
地理的特性のより正確な決定のために、もし上述の無線リンク実施が実行されると、更新された地理的情報は無線通信が生じるセルラーシステムから収集可能である。同様に、ラジオ２０は（例えば、セルラーシステムを介して）リスナー／ユーザのリストに地理的データを送り返す全地球測位システム(ＧＰＳ)装置を内蔵でき、それにより正確で有効な目標広告またはプログラミングを有効にする完全に更新された現在データになる。
【００６５】
イネーブル／ディスエーブル移動商取引：
特定のリスナー／ユーザが種々の移動商取引機能への連続アクセスを与えられるかどうかを制御することは本発明の範囲内にある。上述のように、不正なリスナー／ユーザは投票および賞金レースにおいて計数から除外できる。すなわち、３つの立場のいずれでも本発明の全移動商取引機能を無効にすることができる。第１に、移動商取引機能はラジオ２０で無効にされる。これは好ましくは最初にＳＤＡＲＳを受信しまたは聴取するための能力を有効にする／無効にすると同様な方法で、少なくとも１つの衛星１２、１４から放送された制御チャンネルを介して達成される。第２に、メディアリンク実施例での移動商取引機能を無効にするため、ハブ１１７０は好ましくは選択されたリスナー／ユーザからの到来通信を阻止またはフィルタにかける。最終的に、無線リンク実施例において、インタラクティブ通信を支持するセルラーラジオシステムは選択されたラジオ２０から到来する呼び出しを阻止しまたはフィルタするように構成される。もちろん、上記の阻止又はフィルタリングはＳＤＡＲＳオペレータによりいつでも解除可能であり、特定のリスナー／ユーザのための本発明の移動商取引機能を有効にし又は再有効にする。
【００６６】
ユーザ監視：
本発明の他の特徴はどのチャンネルが聴取されているかをモニタすることに関する。本発明は図６に示されたフォーマットにリストされたすべてのプログラミングセグメントを記録することを予期している。このように、選択されたプログラム識別子を中央ハブ１１７０に送り返すだけでなく、図６のテーブルに蓄積された完全なプレイリストを送ることも可能である。中央ハブ１１７０又は他の構成要素はデータを収集でき、かつユーザの聴取習慣について知るために分析できる。
【００６７】
情報蓄積：
本発明の他の実施例において、ウエブサイト１１７０から又は無線リンクを介して直接情報を受信する代わりにまたはに追加して、デジタルラジオ放送は選択されたプログラムセグメントに付随する（プログラム識別子以外の）詳細情報を含む。この詳細情報は好ましくはラジオ２０と通信する非着脱メモリ５００又は他のメモリに蓄積され、放送の残りと共にリアルタイムに放送されない。リスナーは聴取しているプログラムセグメントについてより多く知りたければ、蓄積された詳細情報を放送し又は表示させる選択ボタン１２２０を押す。
【００６８】
例えば、新しいＣＤの広告は好ましくはその価格に関する詳細情報と共に放送される。リスナーが選択ボタン１２２０を選択するとき、ＣＤ価格が表示器１２００に表示され、またはその瞬間に放送されているものと同時に又は代わりに放送される。
【００６９】
詳細情報はサイドチャンネルでまたは聴取されているチャンネルの補助データフィールドで放送できる。
【００７０】
移動商取引収益発生：
消費者の移動商取引を支持することにおいて、本発明はシステムの管理者（例えば、放送者および又はウエブサイト１１７０のオペレータ）に収益を発生するための独自の方法を提供する。この収益源は広告を放送する料金、販売委託手数料、管理者のウエブサイトで広告する料金、システム管理者から消費者への直接の販売からの利益、およびサービスを可能にする移動商取引の加入者料金を含む。
【００７１】
放送広告料金：
利益を発生させる方法の一実施例において、システム管理者は広告を放送する小売業者に料金を請求する。コマーシャルの長さと視聴者の予測サイズのような要因に基づいて典型的に均一料金である従来の放送広告料金と異なり、本発明はシステム管理者が放送料金を広告に関心を示す消費者数に基礎を置くことを可能にする。
【００７２】
メモリ装置実施例（例えば、メディアリンク１１４０を使用している実施例）において、システム管理者のウエブサイトがメディアリンク１１４０からシステム管理者のウエブサイトへセレクションをダウンロードする消費者の数に基づいて関心のある消費者を決定する。例えば、自動車コマーシャルの広告中、自動車に関心のある消費者ユーザはコマーシャルのプログラム識別子を記録するため選択ボタン１２０を押す。（選択ボタン１２２０を押す作用は「電子指示」の一例である）後に、各ユーザはユーザのラジオからメディアリンク１１４０を除去し、メディアリンク１１４０をコンピュータに接続し、且つプログラム識別子をダウンロードしコマーシャルのスポンサーとの更なるやり取りを求めるため（例えば、自動車についてより多くの情報を獲得するためおよび購入を準備するため）管理者のウエブサイトと通信する。プログラム識別子をシステム管理者のウエブサイトにダウンロードすることにより、システム管理者に広告に応答した消費者数を計数する機会を提供する。例えば、システム管理者は各ダウンロードに対して固定料金を請求する。
【００７３】
メディアリンク１１４０を使用しない（例えば、高電力無線モジュール７００を使用する実施例）無線実施例において、システム管理者は広告を放送中押圧された選択ボタン数に基づいて関心のある消費者数を決定する。例えば、ビタミンの広告を放送中、ユーザはビタミン製品を購入するため又は、例えば、郵送されたパンフレットにより製品についてのより多くの情報を受けるため選択ボタン１２２０を押す。（さらに、選択ボタン１２２０の押圧は「電子指示」の例である。）広告自身はユーザが選択ボタン１２２０を押すことにより得られるものを特定できる。選択ボタン１２２０が押された後、システム管理者は無線ネットワークによりユーザの注文を直ちに受信する。注文はビタミンの広告に伴うプログラム識別子およびある型のユーザ指示（例えば、ＥＳＮ）を含んでいる。例えば、システム管理者は各押圧されたボタンに対して固定料金を請求する。
【００７４】
小売業者は消費者に影響を与えたとわかる広告に対して支払うだけなので、関心を持った消費者数に基づく広告料金は特に小売業者にとって魅力的である。従来の広告料金は関心のある消費者と相関のある又はない格付け又は視聴規模に依存しているが、本発明の放送広告料金は広告を聴取し、広告を理解し、広告製品についてより多く知ること又は広告製品を購入することに関心を示した実際の消費者数を反映している。
【００７５】
この方法により提供された視聴者の応答は小売業者にとって貴重である。小売業者は、例えば、広告を放送するための最良の時間を決定するため異なる時間に流される広告に対する応答を評価できる。小売業者は各広告の効果を比較するため同時に異なる広告を流すことができる。さらに、小売業者は、衛星ラジオ放送の種々のチャンネルにより示されるように、異なるプログラミングマーケットで放送される同じ広告を比較できる。例えば、小売業者はスポーツ・トークチャンネルで放送されたビタミンコマーシャルがモダンジャズ音楽チャンネルで放送された同一コマーシャルより大きなリスナーの関心を誘発することを決定することができる。
【００７６】
視聴者回答が編集される形態は関心を持った消費者の応答数の編集と同程度に簡単である。代案として、消費者応答は各ユーザの応答をユーザアカウント情報と関連させることにより人口統計学的情報を含んでいる。アカウント情報はサービスの登録でシステム管理者により記録可能であり、ユーザの年齢、居所の州、平均年収、および職業のようなデータを含んでいる。システム管理者又は小売業者はこの情報を編集できる。しかしながら、プライバシーの懸念に対応するため、管理者が人口統計学的情報を編集し、その全般的結果を小売業者に提供し、個々のユーザアカウント情報の秘密を維持することが好ましい。
【００７７】
プログラム識別子は実際の消費者の応答のみに対して請求することにより利益を発生するこの実施例を容易にする重要な役目を行う。このプログラム識別子はシステム管理者が消費者の応答を特定のコンテンツセグメントに一致させることを可能にする。結局、プログラム識別子は広告のスポンサーと消費者の相互交流を介して消費者の最初の公開から追跡可能なリンクを提供する。従来の放送技術では、このような相関性は、広告のスポンサーに連絡を取るとき、おそらく消費者に「広告について問合せ」ることを求める以外、不可能である。しかしながら、この劣った方法ではシステム管理者の利益を関心を持った消費者数に基礎とする目的のため信頼できない。
【００７８】
販売手数料：
消費者の応答でなく、利益を発生するための方法の他の実施例において、システム管理者はトラッキングツールとしてプログラム識別子を使用して、広告から得られた最終売上の手数料を集金することができる。上述のように、広告はシステム管理者が興味を示した消費者を広告を後援した小売業者と連絡を取らせるプログラム識別子を含んでいる。この連絡は小売業者の製品を購入するため消費者をシステム管理者のウエブサイトに向けることを含み、または消費者がより詳細な情報を入手しおそらく製品を購入する小売業者自身のウエブサイトに対するハイパーリンクを含む。どちらの場合も、この実施例に従うと、システム管理者は特定の広告から得られた製品販売の利益の歩合を請求できる。
【００７９】
プログラム識別子はこの収益の流れを可能にする。ビジネスの通常のコースでは、広告会社は広告を各製品の売上と結びつける方法を持たない。しかしながら、本発明のシステムと方法では、広告と共に放送されるプログラム識別子が最終的な製品購入を通じて（例えば、ラジオ２０の選択ボタン１２２０を押して）ユーザの関心についての最初の指示から小売業者と消費者の対話を追跡する。
【００８０】
ウエブサイト広告料金：
利益を発生させる方法の他の実施例において、システム管理者はウエブサイト上の広告を通じて更なる利益を引き出すことができる。関心を持った消費者と小売業者間の交流を確立するプロセスで、システム管理者は他の関連広告を、例えば、大見出し広告や他のクリックスルーリンクの形態で、表示できる中央ウエブサイトに消費者を通すことができる。例えば、もしユーザがキャンピングテントの広告に関心を示し、その間システム管理者のウエブサイトへ広告のプログラム識別子をダウンロードすると、ウエブサイトはキャンピングテント広告のスポンサーにより又は他の小売業者により売られたキャンピング装置の他の広告を表示できる。ユーザはテントを購入し、より多くのキャンピング装備の店にさらなる広告をクリックスルーできる。
【００８１】
この利益発生方法において、システム管理者はウエブサイトでこれらの関連する広告の最初の紹介に対して請求できる。さらに、システム管理者は関連製品を販売している一小売業者に又は小売業者間で他の独自料金システムを容易にするためプログラム識別子を使用できる。重要なことには、プログラム識別子はシステム管理者が単一の放送広告に起因する消費者のすべての反応を追跡するのを可能にする。具体的には、システム管理者は、プログラム識別子が広告から生じる各購入に付随するように、関連広告のクリックスルーごとにプログラム識別子を通過させる。
【００８２】
例えば、ウエブサイトに示される関連広告が放送広告を後援した同じ小売業者により後援される場合、システム管理者は小売業者に広告に起因する各販売に対する手数料を請求できる。このように、キャンピングの例において、もし、広告の聴取後、消費者がテントを買い、その後買い物でシステム管理者のウエブサイトに示される大見出し広告で寝袋とランタンを買うと、システム管理者はキャンピング製品小売業者にテント、寝袋、およびランタンの売上高の手数料を請求できる。おそらく、小売業者は広告が直接販売高に繋がることが分かるのを知るので、これらの手数料を支払うことは満足と思われる。この例では、プログラム識別子は大見出し広告を通じて開始された各購入に添付される。
【００８３】
他の例として、ウエブサイトで示された関連広告が異なる小売業者同士により後援される場合、本発明のこの実施例は小売業者間の広告コストの分割を容易にする。例えば、放送広告は関係製品を販売しているいくつかの小売業者の製品の販売を促進できる。この「ポータル」広告に関心を示す（例えば、ボタンを押す）消費者は小売業者のクリックスルー広告の各々が表示されるシステム管理者ウエブサイトに向けられる。プログラム識別子で購入を追跡することにより、システム管理者は各小売業者にポータル広告から得られた販売高の手数料を請求する。この方法で、ポータル広告に参加している小売業者らは、広告が小売業者に直接利益をもたらす程度にのみ、例えば、販売高を発生する程度に、ポータル広告の費用を分担できる。
【００８４】
システム管理者から消費者への直接販売の利益：
利益を発生する方法のこの実施例において、システム管理者はユーザにより購入されたコンテンツに対する利益を集金する。例えば、もしユーザがコメディチャンネルでコンテンツセグメント期間中ボタンを押すなら、システム管理者は消費者に直接コンテンツセグメントを販売できる。プログラム識別子はシステム管理者がユーザの好む特定のコメディコンテンツを特定し且つそのセグメントをユーザに販売するのを可能にする。このような取引のシステム管理者の利益は購入価格からコンテンツをユーザに発生し送る費用を差し引いた値になる。
【００８５】
加入金からの利益：
利益を発生する方法のこの実施例において、システム管理者は移動商取引（または、電子取引）を可能にするサービスに対して加入者らに払われた料金を収集する。すなわち、ユーザは衛星ラジオシステムを介して可能な移動商取引サービスおよび電子商取引サービスの便宜と長所に対して喜んで対価を支払うであろう。これらの加入料金は、月ごとの請求書発送、自動勘定借方記帳により又は既知の前納方式に従うような、どのような既知の方法でも徴収できる。
【００８６】
本発明の好ましい実施例の前述の開示は例示と記述の目的で提示された。網羅的であること又は発明を開示された正確な形態に制限することは意図していない。ここで記載された実施例の多くの変形例と改造例は上記開示に鑑みて当業者に自明である。本発明の範囲はここに添付された特許請求の範囲によりおよびこれらの均等物によってのみ規定されるべきである。
【００８７】
さらに、本発明の代表的実施例の記載において、明細書は発明の方法および／またはプロセスを特有のステップシーケンスとして提示できたかもしれない。しかしながら、この方法またはプロセスがここに陳述された工程の特有の順序に依存しない程度に、この方法またはプロセスは記載された工程の特有のシーケンスに限定されるべきでない。関連分野の通常当業者が理解するように、工程の他のシーケンスは可能である。したがって、明細書に陳述された工程の特有の順序は特許請求の範囲を制限するものとして解釈されるべきでない。さらに、本発明の方法および／またはプロセスを対象とするクレームは記載された順序の工程の実行に制限されるべきでなく、関連分野の当業者は、工程シーケンスが変更可能でありかつ本発明の意図と範囲内にとどまることを容易に理解できる。
【図面の簡単な説明】
【００８８】
【図１】図１は衛星デジタルオーディオラジオサービスシステム構成の実施を図示した概略図である。
【図２】図２は図１のシステムをより詳細に示す概略図である。
【図３】図３は本発明の原理を実施している典型的システムを示す高レベル概略図である。
【図４】図４は本発明と動作可能な典型的な無線受信機を示す単純化した高レベル概略図である。
【図５】図５は本発明に従ったラジオ用の典型的ユーザインターフェースの概略図である。
【図６】図６は関連する複数のプログラム識別子を含むコンテンツのリストの典型的な論理配置である。
【符号の説明】
【００８９】
１０、１１００    システム
１２、１４    静止衛星
１６    リピータ
２０    受信機 (ラジオ)
２２    放送セグメント
２４    リピータセグメント
２６    エンコーダ
２８    ＱＰＳＫ変調器
３０    アンテナ
３４    受信機デモジュレータ
３６    地上波形モジュレータ
１１０    アンテナモジュール
２００    ＲＦ同調チューナ
３００    チャンネルデコーダ
４００    アーディオデコーダ
５００    非着脱可能メモリ
６００、７００    トランスミッタ
８００    システム制御器
１０００    ユーザインターフェース
１１１０    スタジオリンクサイト
１１２０    コンテンツプロバイダ
１１４０    メディアリンク
１１５０    コンピュータ
１１６０    第２ネットワーク
１１７０    サイト又はハブ
１１８０    キオスク
１２００    表示器
【図１】
2004533059.tif 000003
【図２】
2004533059.tif 000004
【図３】
2004533059.tif 000005
【図４】
2004533059.tif 000006
【図５】
2004533059.tif 000007
【図６】
2004533059.tif 000008
【国際公開パンフレット】
2004533059.tif 000009
2004533059.tif 000010
2004533059.tif 000011
2004533059.tif 000012
2004533059.tif 000013
2004533059.tif 000014
2004533059.tif 000015
2004533059.tif 000016
2004533059.tif 000017
2004533059.tif 000018
2004533059.tif 000019
2004533059.tif 000020
2004533059.tif 000021
2004533059.tif 000022
2004533059.tif 000023
2004533059.tif 000024
2004533059.tif 000025
2004533059.tif 000026
2004533059.tif 000027
2004533059.tif 000028
2004533059.tif 000029
2004533059.tif 000030
2004533059.tif 000031
2004533059.tif 000032
2004533059.tif 000033
2004533059.tif 000034
2004533059.tif 000035
2004533059.tif 000036
2004533059.tif 000037
2004533059.tif 000038
2004533059.tif 000039
2004533059.tif 000040
2004533059.tif 000041
2004533059.tif 000042
2004533059.tif 000043
2004533059.tif 000044
2004533059.tif 000045
2004533059.tif 000046
2004533059.tif 000047
2004533059.tif 000048
2004533059.tif 000049
2004533059.tif 000050
2004533059.tif 000051
2004533059.tif 000052
2004533059.tif 000053
2004533059.tif 000054
2004533059.tif 000055
【国際公開パンフレット（コレクトバージョン）】
2004533059.tif 000056
2004533059.tif 000057
【国際調査報告】
2004533059.tif 000058
2004533059.tif 000059
2004533059.tif 000060
2004533059.tif 000061